(57)【要約】【課題】複数の昇降圧電源を有する装置において、複数の昇降圧電源が同時に昇降圧動作の動作モードを切り替えることを防止する仕組みを提供する。【解決手段】本発明は、複数の昇降圧電源を備え、それらの昇降圧電源が同時に動作モードを切り替えることによりＩＲドロップ等の影響が増大することを防ぐべく、各昇降圧電源において設定される電圧値を異ならしめるように構成する。【選択図】  図３
2017107340.tif 000002
【特許請求の範囲】
【請求項１】
電源部からの入力電圧を制御して複数の記憶手段へ電力を供給する電源制御装置であって、
第１記憶手段へ前記電源部から印加される入力電圧を、設定された第１電圧に制御する第１昇降圧電源手段と、
第２記憶手段へ前記電源部から印加される入力電圧を、設定された第２電圧であって、前記第１電圧とは異なる前記第２電圧に制御する第２昇降圧電源手段と
を備えることを特徴とする電源制御装置。
【請求項２】
前記第１電圧及び前記第２電圧は、前記第１昇降圧電源手段による降圧動作と昇圧動作との切り替わりと、前記第２昇降圧電源手段による降圧動作と昇圧動作との切り替わりとが異なるタイミングで発生するように設定されることを特徴とする請求項１に記載の電源制御装置。
【請求項３】
前記第１電圧は、前記電源部からの入力電圧よりも低い値に設定され、
前記第２電圧は、前記電源部からの入力電圧よりも高い値に設定されることを特徴とする請求項１又は２に記載の電源制御装置。
【請求項４】
前記第１昇降圧電源手段は、前記第２昇降圧電源手段よりも前記電源部の近くに配置されることを特徴とする請求項３に記載の電源制御装置。
【請求項５】
前記第１昇降圧電源手段は、前記第２昇降圧電源手段に用いられる電源出力配線よりも太い電源出力配線を用いて前記電源部に接続されることを特徴とする請求項３又は４に記載の電源制御装置。
【請求項６】
前記第１昇降圧電源手段及び前記第２昇降圧電源手段は、前記電源部に対して並列に設けられることを特徴とする請求項１乃至５の何れか１項に記載の電源制御装置。
【請求項７】
情報処理装置であって、
電源部と、
第１記憶手段及び第２記憶手段と、
前記第１記憶手段へ前記電源部から印加される入力電圧を、設定された第１電圧に制御する第１昇降圧電源手段と、
前記第２記憶手段へ前記電源部から印加される入力電圧を、設定された第２電圧であって、前記第１電圧とは異なる前記第２電圧に制御する第２昇降圧電源手段と
を備えることを特徴とする情報処理装置。
【請求項８】
前記第１記憶手段は、通常使用される記憶手段であり、
前記第２記憶手段は、前記第１記憶手段のバックアップに使用されるオプションとしての記憶手段であることを特徴とする請求項７に記載の情報処理装置。
【請求項９】
前記情報処理装置は、画像処理装置であることを特徴とする請求項７又は８に記載の情報処理装置。
【発明の詳細な説明】
【技術分野】
【０００１】
本発明は、電源制御装置、及び情報処理装置に関する。
【背景技術】
【０００２】
従来から、情報処理装置では、定電圧を出力する電源回路として、リニアレギュレータや、ＤＣＤＣコンバータなどのスイッチングレギュレータが用いられている。近年では電源から効率よく電力を生成するためにＤＣＤＣコンバータなどのスイッチングレギュレータが多く使用されている。特に、入力電圧が変動するような場合には、昇降圧型ＤＣＤＣコンバータを使用し、昇圧動作と降圧動作を切替えて、一定の電圧を出力させるために使用されている。例えば、特許文献１には、二次電池を入力とする装置において、二次電池が満充電状態では昇降圧ＤＣＤＣコンバータが降圧動作を行ない、二次電池の放電に伴い、電圧が低下してきた場合は昇圧動作をして一定の電圧を出力させることが提案されている。
【０００３】
また、情報処理装置で用いられる、ＨＤＤ（Ｈａｒｄ  Ｄｉｓｃ  Ｄｒｉｖｅ）においてＲＡＩＤ１のようなＨＤＤミラーリングの技術が知られている。ＨＤＤミラーリングは２台のＨＤＤに同じデータを同時に書き込むことによって、ＨＤＤ故障時のデータを保護するために使用されている。そのようなＨＤＤのミラーリングの構成を採用する情報処理装置において、入力電圧がＨＤＤの規格電圧と同じ約５Ｖである場合、ＨＤＤ以外の他の負荷をオンしたときには、入力電圧がドロップする。その際、２．５インチのＨＤＤの規格電圧である５．０Ｖ±５％の範囲を超えないように、各ＨＤＤに昇降圧ＤＣＤＣを設けることがある。この場合、その他の負荷がオンされた時に、昇降圧ＤＣＤＣが降圧から昇圧に切り替わることになる。
【先行技術文献】
【特許文献】
【０００４】
【特許文献１】特開２００８−１５７８３７号公報
【発明の概要】
【発明が解決しようとする課題】
【０００５】
しかしながら、上記従来技術には以下に記載する課題がある。上記従来技術のように、昇降圧電源が昇圧動作から降圧動作に移り変わる場合、その電源の入力電圧に対して、ＩＲドロップやリップルノイズなどの入力電圧を変動させるような影響を与えることがある。その電圧変動について図５を参照して説明する。
【０００６】
図５の５０１は装置に１つのＨＤＤが設けられているときの入力電圧の変動を表したタイミングチャートである。横方向に時間を示し、縦方向に電圧を示す。時間＝Ｔ１において、入力電圧に対して他の負荷がかかり、入力電圧が低下する。時間＝Ｔ２において、入力電圧が昇降圧電源の出力電圧以下になると、昇降圧電源は降圧動作から昇圧動作に動作モードを切り替える。昇降圧電源の動作モードが切り替わると昇降圧電源は入力に対しての電流負荷が増えるのでＩＲドロップが増え、５１０に示すように入力電圧がドロップする。
【０００７】
時間＝Ｔ３において、電源の負荷応答によって入力電圧が戻ってきて昇降圧電源の出力電圧以上になると、昇降圧電源は昇圧動作から降圧動作に動作モードを切り替える。
【０００８】
さらに昇降圧電源を並列に２つ並べて使用する場合、ドロップやリップルノイズが重なり、入力に対して電圧変動の影響を二重に与えるといった課題がある。図５の５０２は装置に２つのＨＤＤが設けられているときの入力電圧の変動を表したタイミングチャートである。時間＝Ｔ１、Ｔ３においては図５の５０１と同様である。時間＝Ｔ２において、入力電圧が昇降圧電源の出力電圧以下になると、２つの昇降圧電源は同時に降圧動作から昇圧動作に動作モードを切り替える。昇降圧電源の動作モードが切り替わると昇降圧電源は入力電圧に対して昇降圧電源２つ分のＩＲドロップが重なって発生し、５２０に示すようにドロップ量はＨＤＤが１つのとき（５１０）よりも大きくなってしまう。
【０００９】
本発明は、上述の問題に鑑みて成されたものであり、複数の昇降圧電源を有する装置において、複数の昇降圧電源が同時に昇降圧動作の動作モードを切り替えることを防止する仕組みを提供することを目的とする。
【課題を解決するための手段】
【００１０】
本発明は、電源部からの入力電圧を制御して複数の記憶手段へ電力を供給する電源制御装置であって、第１記憶手段へ前記電源部から印加される入力電圧を、設定された第１電圧に制御する第１昇降圧電源手段と、第２記憶手段へ前記電源部から印加される入力電圧を、設定された第２電圧であって、前記第１電圧とは異なる前記第２電圧に制御する第２昇降圧電源手段とを備えることを特徴とする。
【発明の効果】
【００１１】
本発明によれば、複数の昇降圧電源を有する装置において、複数の昇降圧電源が同時に昇降圧動作の動作モードを切り替えることを防止することができる。
【図面の簡単な説明】
【００１２】
【図１】システム構成図。
【図２】システム制御ブロック図。
【図３】システム電源構成概略図。
【図４】本実施形態に係るタイミングチャート。
【図５】比較例となる昇降圧電源における昇圧動作から降圧動作に移り変わる際に発生する電圧変動を示すタイミングチャート。
【発明を実施するための形態】
【００１３】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１４】
＜情報処理装置の構成＞
まず、図１を参照して、本発明の実施形態に係るシステム構成の一例について説明する。本システムは、画像形成システムを構成する画像印刷ユニット、フィニッシングユニット１０２、及び読取装置１０３と、プリントサーバ１０５と、クライアントＰＣ１０６、１０７とを備える。各装置は、ネットワークであるＬＡＮ（Ｌｏｃａｌ  Ａｒｅａ  Ｎｅｔｗｏｒｋ：以下、ＬＡＮと略記する。）１０４を介して、相互通信可能に接続される。
【００１５】
画像形成装置である画像印刷ユニット１０１は、各種の入力データを処理し、記録用紙（シート）上に画像印刷を行う。フィニッシングユニット１０２は、出力される印刷物を所望の出力形態に合わせてソート、ステイプル、折りなどを行うフィニッシングユニット（後処理装置）である。読取装置１０３は、原稿を読み取って原稿画像を取得する。
【００１６】
プリントサーバ１０５は、ＬＡＮ１０４を介して接続されたクライアントＰＣ１０６からの印刷要求を受け、プリントジョブを画像印刷ユニット１０１へ送信する。画像印刷ユニット１０１は、ＬＡＮ１０４を介してプリントサーバ１０５やクライアントＰＣ１０６などと接続される。
【００１７】
ユーザーはクライアントＰＣ１０６において、画像の印刷を行うべくプリントジョブを作成し、印刷処理を実行する。これにより、プリントジョブはプリントサーバ１０５、ＬＡＮ１０４を介して画像印刷ユニット１０１にもたらされる。
【００１８】
＜制御ブロック＞
次に、図２を参照して、画像印刷ユニット１０１、及びフィニッシングユニット１０２を制御するための制御ブロックについて説明する。
【００１９】
２０１は、画像印刷ユニット１０１に含まれる画像形成コントローラを示す。画像形成コントローラ２０１は、ネットワーク制御部２０３、操作部２０５、ＣＰＵ部２０６、メモリ部２０７、印刷画像処理部２０８、機構プロセス制御部２０９、及び電源制御部２１０、ＨＤＤ３１２、３１３を備える。
【００２０】
ネットワーク制御部２０３は、ＬＡＮ１０４とのＬＡＮ通信を制御する。即ち、ＬＡＮ１０４から受信入力された画像データ（例えば、ＰＤＬデータ）を受信したり、システム内の各種画像データや装置情報などを、ＬＡＮ１０４を介して送信したりする。操作部２０５は、ユーザーが各種の操作を行うための操作パネル、及び操作情報を表示するための表示器を備えたユーザーインターフェースである。
【００２１】
ＣＰＵ部２０６は、画像形成コントローラ２０１の各部を統括的に制御する処理部である。また、ＣＰＵ部２０６は、ＬＡＮ１０４から受信入力された画像データ（例えば、ＰＤＬデータ）を解読し、ビットマップデータへの展開を行なう。メモリ部２０７は、本実施形態によれば、ＣＰＵ部２０６がアクセス可能な記憶装置であり、各種の制御を行うためのプログラムを格納したプログラムメモリを兼ね備えている。また、画像形成時の画像の保存用としても、メモリ部２０７は使用される。メモリ部２０７は、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等で構成される。
【００２２】
ＨＤＤ３１２、３１３は、磁気ディスクドライブであるハードディスクドライブ（ＨＤＤ）であり画像データの格納などの様々なデータが格納される。また、２台構成になっているのは、ＨＤＤが万が一故障した時にデータを失わないためにデータを両方のＨＤＤに格納するミラーリング構成を行なえるように構成するためである。即ち、画像形成コントローラ２０１がＨＤＤミラーリングを行なう場合はＨＤＤ３１２、３１３の２台のＨＤＤで構成され、画像形成コントローラ２０１がＨＤＤミラーリングを行なわない場合、ＨＤＤ３１２の１台のみで構成される。ＨＤＤ３１２、３１３は、例えば２．５インチのＨＤＤであり、その際の電圧範囲は＋５．０Ｖ±５％である。なお、本実施形態によれば、ＨＤＤ（第１記憶手段）３１２が通常使用されるＨＤＤとして設けられ、ＨＤＤ（第２記憶手段）３１３はミラーリングを実現するため、バックアップに使用されるオプションのＨＤＤとして設けられる。
【００２３】
印刷画像処理部２０８は、ＣＰＵ部２０６で展開されたビットマップデータに対して、スクリーン処理などを印刷するための画像処理を行い、印刷用データに変換する。機構プロセス制御部２０９は、例えば用紙などのシート上に画像の印刷を行う際に、画像印刷ユニット１０１及びフィニッシングユニット１０２を制御して、印刷、記録紙の搬送を行わせる。画像印刷ユニット１０１での印刷処理、フィニッシングユニット１０２での記録紙排紙処理において、シート上への印刷制御、シートの搬送機構制御は、全て機構プロセス制御部２０９によって制御される。電源制御部２１０は、例えばＣＰＵやＰＬＤ（Ｐｒｏｇｒａｍｍａｂｌｅ  Ｌｏｇｉｃ  Ｄｅｖｉｃｅ）等で構成される。
【００２４】
電源制御部２１０は、ＣＰＵ部２０６が通電されていない場合には、図１に不図示の電源のＯＮ、ＯＦＦの制御を行う。また、電源制御部２１０は、ＣＰＵ部２０６が通電されている場合には、ＣＰＵ部２０６が電源制御部２１０を制御することによって、各ユニットへの電源ＯＮ、ＯＦＦの制御を行う。
【００２５】
また、電源制御部２１０は、ＣＰＵ部２０６でプログラムを実行することによって各電源を制御してもよい。また、ＰＬＤ（Ｐｒｏｇｒａｍｍａｂｌｅ  Ｌｏｇｉｃ  Ｄｅｖｉｃｅ）のようなハードロジックでステートマシンが動作することによって各電源を制御してもよい。
【００２６】
＜電源ブロックの構成＞
次に、図３を参照して、図１に示す画像形成システムの電源ブロックの構成について説明する。３０１は、商用電源である。画像形成システムは、商用電源３０１から電源を受け、内部で画像印刷ユニット１０１、フィニッシングユニット１０２などの各ユニットに電力を供給する。
【００２７】
第１電源部３０２は、商用電源３０１と接続されており、電源ケーブルにより商用電源３０１と接続されている限り常時通電される。また、第１電源部３０２は、商用電源３０１から受けた電源からＡＣ−ＤＣ変換し、例えば５Ｖのような比較的低いＤＣ電源（例えば、＋５．１４Ｖ±３％）を生成し、接続されている各ユニットに電力供給を行なう。
【００２８】
スイッチ３０３は、ユーザーがアクセス可能（操作可能）な主電源スイッチである。スイッチ３０３は電源制御部２１０に接続され、電源制御部２１０はユーザーがスイッチ３０３をＯＮ又はＯＦＦしたかの検知を行なう。スイッチ３０４は、ユーザーによりスイッチ３０３がＯＦＦされた場合に、電源制御部２１０に電力を供給し続けるためのスイッチである。ユーザーによりスイッチ３０３がＯＦＦされると、ＣＰＵ部２０６が電源制御部２１０経由でスイッチ３０３のＯＦＦを検知し、ＣＰＵ部２０６上で動作するソフトウェアがシャットダウン処理を開始する。ＣＰＵ部２０６上で動作するソフトウェアがシャットダウン処理を終了した後、電源制御部２１０がスイッチ３０４をＯＦＦにする。これにより、スイッチ３０３とスイッチ３０４が共にＯＦＦされ第１電源部３０２からの電源供給が遮断される。
【００２９】
第２電源部３０６は、スイッチ３０５を介して商用電源３０１と接続される。電源制御部２１０がＣＰＵ部２０６上で動作するソフトウェアの制御に応じて、スイッチ３０５のＯＮ、ＯＦＦを行うことで、第２電源部３０６に通電される。また第２電源部３０６は、商用電源３０１から受けた電源からＡＣ−ＤＣ変換し、例えば１２Ｖや２４Ｖなどの比較的高いＤＣ電源（例えば＋１２．３Ｖ±４％）を生成し、接続されている各ユニットに電源供給を行なう。
【００３０】
電源制御部２１０は、さらに、スイッチ３０４、スイッチ３０５、スイッチ３１１、及びスイッチ３１９に接続され各スイッチのＯＮ／ＯＦＦの制御を行ない、第１電源部３０２からの電源供給と第２電源部３０６からの電源供給の制御を行う。また、電源制御部２１０は、降圧電源（ＤＣＤＣ）３１５、降圧電源（ＤＣＤＣ）３１６、昇降圧電源（ＤＣＤＣ）３１７、昇降圧電源（ＤＣＤＣ）３１８に接続され各電源（ＤＣＤＣ）のＯＮ／ＯＦＦの制御を行ない、各制御部への電源供給の制御を行う。なお、昇降圧電源３１７は第１昇降圧電源手段の一例であり、昇降圧電源３１８は第２昇降圧電源手段の一例である。
【００３１】
第１電源監視部３０８は、第１電源部３０２の電源を監視し、第２電源監視部３０９は、第２電源部３０６の出力電圧を監視している。さらに、第１電源監視部３０８と第２電源監視部３０９は、監視している出力電圧がある閾値を超えて印加されたことを検知すると、電源制御部２１０に対し、パワーグッド信号をアサートする。また、電圧が印加された状態から、閾値を下回った場合には、パワーグッド信号をデアサートする。
【００３２】
ＲＡＭ３０７はランダムアクセスメモリであり、ＣＰＵ部２０６が制御動作を行なう際に、一時的なデータの格納を行なうためのメモリである。ＲＯＭ３１０はリードオンリーメモリであり、画像形成コントローラ２０１が起動するためのブートプログラムや設定パラメータが格納される。
【００３３】
降圧電源３１４、降圧電源３１５、及び降圧電源３１６は、１つ以上の降圧型リニアレギュレータや、降圧型ＤＣＤＣコンバータなどのスイッチングレギュレータから構成される。降圧電源３１４はＣＰＵ部２０６の一部とＲＡＭ３０７が動作するための電圧（例えば、３．３Ｖ、１．８Ｖ、１．３５Ｖ、１．２Ｖ、０．６７５Ｖなど）を生成する。降圧電源３１５はネットワーク制御部２０３が動作するための電圧（例えば、３．３Ｖ、１．８Ｖ、１．２Ｖなど）を生成する。降圧電源３１６はＣＰＵ部２０６やＲＯＭ３１０が動作するための電圧（例えば、３．３Ｖ、１．８Ｖ、１．２Ｖ、１．０Ｖなど）を生成する。
【００３４】
昇降圧電源３１７及び昇降圧電源３１８は昇降圧型ＤＣＤＣコンバータなどのスイッチングレギュレータであり、第１電源部３０２に対して並列に設けられる。昇降圧電源３１７及び昇降圧電源３１８は、入力電圧に対して昇圧動作及び降圧動作を行うことができ、それぞれ設定された電圧（第１電圧又は第２電圧）に従って、昇圧動作と降圧動作とを切り替える。昇降圧電源３１７はＨＤＤ３１２が動作するための電圧を生成し、第１電源部３０２が出力する電圧に対して少し低い電圧を出力するように電圧設定されている。例えば、第１電源部３０２が５Ｖを出力している場合、昇降圧電源３１７は４．９Ｖ（第１電圧）に電圧設定される。昇降圧電源３１８はＨＤＤ３１３が動作するための電圧を生成し、第１電源部３０２が出力する電圧に対して少し高い電圧（第２電圧）を出力するように電圧設定されている。例えば、第１電源部３０２が５Ｖを出力している場合、昇降圧電源３１８は５．１Ｖに電圧設定される。
【００３５】
また、昇降圧電源３１７は昇降圧電源３１８よりも低い出力電圧を設定されているのでＩＲドロップの影響が少なくなるように、昇降圧電源３１８より昇降圧電源３１７を優先して配置配線される。具体的には、昇降圧電源３１７の電源出力配線は太く・短くなるように配線される。また、昇降圧電源３１８の電源出力配線は、昇降圧電源３１７の電源出力配線と比べて少なくとも同じか、細く、短くなるように配線される。
【００３６】
ここで画像形成システムの電源ＯＦＦの状態から、電源ＯＮ状態への流れを説明する。ユーザーによりスイッチ３０３がＯＮされた場合、第１電源部３０２からスイッチ３０３を介して、電源制御部２１０、ＣＰＵ部２０６の一部、メモリ部２０７の一部へ電力が供給される。その後、第１電源監視部３０８において、電源が安定したことを検知した場合には、第１電源監視部３０８から電源制御部２１０に対して、パワーグッド信号が出力される。
【００３７】
電源制御部２１０は、第１電源監視部３０８からのパワーグッド信号を受け、スイッチ３０４、降圧電源３１５、降圧電源３１６、及びスイッチ３１９をＯＮにする。それにより、第１電源部３０２からネットワーク制御部２０３、ＣＰＵ部２０６、ＲＯＭ３１０、ＨＤＤ３１２、ＨＤＤ３１３、及び操作部２０５の一部に電力が供給される。
【００３８】
次に、電源制御部２１０は、スイッチ３０５をＯＮにする。それにより、第２電源部３０６から、操作部２０５、及び印刷画像処理部２０８へ電力が供給される。その後、第２電源監視部３０９において、電源が安定したことを検知した場合には、第２電源監視部３０９から電源制御部２１０に対して、パワーグッド信号が出力される。
【００３９】
電源制御部２１０は、第２電源監視部３０９からのパワーグッド信号を受け、スイッチ３１１をＯＮにする。それにより、第２電源部３０６からスイッチ３１１を介して機構プロセス制御部２０９へ電力が供給される。以上の動作により、画像形成システムに電力が供給され、電源ＯＮの状態となる。
【００４０】
また、画像形成システムは印刷ジョブなどを一定時間行わなかった場合には、各種省電力モードへ移行する。ＣＰＵ部２０６は電源制御部２１０に対しスイッチ３０５、スイッチ３１９、降圧電源３１５、降圧電源３１６、昇降圧電源３１７、及び昇降圧電源３１８をＯＦＦにする制御を行ない各種省電力モードへ移行する。
【００４１】
機構プロセス制御部２０９は、それぞれスイッチ３１１を介して第２電源部３０６に接続される。電源制御部２１０は、ＣＰＵ部２０６に制御され、スイッチ３１１を独立して制御が可能である。印刷を行っていない場合には、ＣＰＵ部２０６が機構プロセス制御部２０９をＯＦＦにするため、電源制御部２１０が、スイッチ３１１をＯＦＦにすることにより、余分な電力消費を削減する。このように、余分な電力消費を削減するためにそれぞれのスイッチを独立して制御を行うことが可能である。
【００４２】
＜タイミングチャート＞
次に、図４を参照して、第１電源部の何かしらの要因で出力電圧が変動した際に、昇降圧電源３１７と昇降圧電源３１８の動作がどのように遷移するかを説明する。横方向に時間を示し、縦方向に電圧を示す。
【００４３】
まず、時間＝Ｔ１において画像形成コントローラ２０１の動作が開始され、ＣＰＵ部２０６の動作電流が増加すると、降圧電源３１６の出力電流も増加する。すると降圧電源３１６の入力である第１電源部３０２の出力電流も増加することになり、第１電源部３０２の電圧出力動作が追従できずにＩＲドロップの影響で第１電源部３０２の出力電圧も一時的に下降し始める。また、時間＝Ｔ１においては、昇降圧電源３１７は降圧動作を行ない、昇降圧電源３１８は昇圧動作を行なっている。
【００４４】
時間＝Ｔ２において、第１電源部の出力電圧が昇降圧電源３１７の出力設定値を下回ると、昇降圧電源３１７は降圧動作から昇圧動作へと動作を切り替える。時間＝Ｔ２と時間＝Ｔ３の間では、第１電源部は出力電圧の下降を検知し、第１電源部の出力電圧である５Ｖに戻す動作を行ない、電圧が上昇し始める。
【００４５】
時間＝Ｔ３において、第１電源部の出力電圧が昇降圧電源３１７の出力設定値を上回ると、昇降圧電源３１７は昇圧動作から降圧動作へと動作を切り替える。時間＝Ｔ３と時間＝Ｔ４の間では、画像形成コントローラ２０１の動作が終了し、ＣＰＵ部２０６の動作電流が減少すると、降圧電源３１６の出力電流も減少する。すると降圧電源３１６の入力である第１電源部３０２の出力電流も減少することになり、第１電源部３０２の電圧出力動作が追従できずに揺り戻しの影響で第１電源部３０２の出力電圧も一時的に上昇し始める。
【００４６】
時間＝Ｔ４において、第１電源部の出力電圧が昇降圧電源３１８の出力設定値を上回ると、昇降圧電源３１８は昇圧動作から降圧動作へと動作を切り替える。時間＝Ｔ４と時間＝Ｔ５の間では、第１電源部は出力電圧の上昇を検知し、第１電源部の出力電圧である５Ｖに戻す動作を行ない、電圧が下降し始める。時間＝Ｔ５において、第１電源部の出力電圧が昇降圧電源３１８の出力設定値を下回ると、昇降圧電源３１８は降圧動作から昇圧動作へと動作を切り替える。
【００４７】
以上説明したように、本発明は、複数の昇降圧電源を備える電源制御装置において、各昇降圧電源において設定される電圧値を異ならしめるように構成する。これにより、２つの昇降圧電源の昇圧動作と降圧動作の切り替わりが同時に重なることがなくなり、昇圧動作と降圧動作の切り替わり時に発生するリップルノイズやＩＲドロップが重なって現れることを防ぐことができる。
【００４８】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００４９】
２１０：電源制御部、３００：電源制御装置、３０１：商用電源、３０２：第１電源部、３１２：ＨＤＤ、３１３：ＨＤＤ、３１７：昇降圧電源、３１８：昇降圧電源
【図１】
2017107340.tif 000003
【図２】
2017107340.tif 000004
【図３】
2017107340.tif 000005
【図４】
2017107340.tif 000006
【図５】
2017107340.tif 000007